(57)【要約】      （修正有）【課題】地上に居ながら効率よくかつ安全に屋根に降り積もった雪を除去できる除雪具を提供する。【解決手段】長尺の柄１の先端に雪かき部２を備えた屋根用の除雪具である。雪かき部２は、屋根と積雪との間に差し込まれる平板状のベースプレート５と、このベースプレート５の両側端から前方へ向けて立設され、積雪を垂直方向に切断する一対のサイドカッター６とからなる。さらに、ベースプレート５には、ベースプレート５とサイドカッター６によって切り取られた雪を地上に滑り落とすためのシート７の前端を取り付け、さらに前記柄１の途中には、シート７上を滑り落ちてくる雪を粉砕するための粉砕用カッター１２を立設した。【選択図】図１
0003177264.tif 000002
【実用新案登録請求の範囲】
【請求項１】
長尺の柄の先端に雪かき部を備えた屋根用の除雪具において、
該雪かき部は、屋根と積雪との間に差し込まれる平板状のベースプレートと、このベースプレートの両側端から前方へ向けて立設され、積雪を垂直方向に切断する一対のサイドカッターとからなり、
ベースプレートには、ベースプレートとサイドカッターによって切り取られた雪を地上に滑り落とすためのシートの前端を取り付け、
さらに前記柄の途中には、シート上を滑り落ちてくる雪を粉砕するための粉砕用カッターを立設したことを特徴とする屋根用の除雪具。
【請求項２】
前記ベースプレートの底面にベースプレートの滑りをよくするためのスライダーを設けたことを特徴とする請求項１に記載の屋根用の除雪具。
【請求項３】
前記柄と、ベースプレートと、サイドカッターと、シートとに分解可能となしたことを特徴とする請求項１に記載の屋根用の除雪具。
【請求項４】
前記柄を屋根の高さに合わせてジョイント可能となしたことを特徴とする請求項１に記載の屋根用の除雪具。
【考案の詳細な説明】
【技術分野】
【０００１】
本考案は地上からの操作により屋根に降り積もった雪を安全に除去することができる除雪具に関するものである。
【背景技術】
【０００２】
屋根に降り積もった雪を除去するためには、屋根に登って雪下し作業をするのが一般的である。しかし、屋根の上は足場の悪い不安定な場所であり、しかも積雪により非常に滑りやすいため、作業中に誤って転落する事故が後を絶たない。
【０００３】
このような事故を防ぐため、屋根に降り積もった雪を地上から突いたりたたいたりして落下させる除雪具が提案されている。例えば、特許文献１に示す除雪具は、長尺状の柄の先端に中央部を開口させた切り落とし枠を備えたものである。この除雪具によれば、切り落とし枠を降り積もった雪に対して垂直に打ち下ろし、柄を手前に引っ張ることによって、雪を滑らせながら落下させる。
【０００４】
しかし、枠によって切り取られた雪は作業者に向かって滑り落ちるため、作業者は滑り落ちる雪をよけながら除雪作業を行わなければならず効率が悪い。また長期間除雪を行わなかった雪は度重なる積雪と凍結とを繰り返すことにより雪の塊となっているため、雪がぶつかった衝撃で作業者が転倒して怪我を負うという問題があった。さらに、屋根の傾斜角度によっては雪が滑り落ちにくいため、引き下ろし大きな力が必要となるという問題があった。
【先行技術文献】
【特許文献】
【０００５】
【特許文献１】実用新案登録第２５５４８６６号公報
【考案の概要】
【考案が解決しようとする課題】
【０００６】
本考案の目的は前記した従来の問題点を解決し、地上から効率よく、かつ安全に屋根に降り積もった雪を除去することができる除雪具を提供することである。
【課題を解決するための手段】
【０００７】
上記の課題を解決するためになされた本考案は、長尺の柄の先端に雪かき部を備えた屋根用の除雪具において、該雪かき部は、屋根と積雪との間に差し込まれる平板状のベースプレートと、このベースプレートの両側端から前方へ向けて立設され、積雪を垂直方向に切断する一対のサイドカッターとからなり、ベースプレートには、ベースプレートとサイドカッターによって切り取られた雪を地上に滑り落とすためのシートの前端を取り付け、さらに前記柄の途中には、シート上を滑り落ちてくる雪を粉砕するための粉砕用カッターを立設したことを特徴とするものである。
【０００８】
また請求項２に記載のように、前記ベースプレートの底面にベースプレートの滑りをよくするためのスライダーを設けることが好ましい。さらに、請求項３に記載のように除雪具を、柄と、ベースプレートと、サイドカッターと、シートとに分解可能とすることが好ましく、請求項４のように柄を屋根の高さに合わせてジョイント可能とすることが好ましい。
【考案の効果】
【０００９】
本考案に係る屋根用の除雪具は、長尺の柄の先端に雪かき部を備え、該雪かき部は、屋根と積雪との間に差し込まれる平板状のベースプレートと、このベースプレートの両側端から前方へ向けて立設され、積雪を垂直方向に切断する一対のサイドカッターとからなる。これにより、屋根に降り積もった雪を一定の大きさに切断することができる。またベースプレートには、ベースプレートとサイドカッターによって切り取られた雪を地上に滑り落とすためのシートを取り付けてある。これにより、屋根の傾斜角度が緩やかであっても切断後の雪を自重により確実に地上に滑り落とすことができるので、雪を引き下ろす労力が要らない。さらに前記柄の途中には、シート上を滑り落ちてくる雪を粉砕するための粉砕用カッターを立設してある。これにより、作業者に雪の塊がぶつかることがなく、安全かつ効率的に除雪作業を行うことができる。なおここにいう「柄の途中」とは、柄の先端と把持部の間の部分を言う。
【００１０】
また請求項２のように、ベースプレートの底面にスライダーを設ければ、ベースプレートを屋根と積雪との間に差し込み易くなるので操作性が向上する。さらに請求項３のように、除雪具を部品ごとに分解可能にすれば持ち運びに便利である。また請求項４のように、屋根の高さに合わせて柄の長さを調節可能にすれば、持ち運びに便利であることはもちろん、軒先だけでなく屋根全体の雪を取り除くことができる。
【図面の簡単な説明】
【００１１】
【図１】本考案の実施形態の除雪具を示す斜視図である。
【図２】実施形態の除雪具の分解斜視図である。
【図３】延長した柄の連結部を示す説明図である。
【図４】柄の先端部の接続部を示す正面図である。
【図５】使用状態を示す説明図である。
【考案を実施するための形態】
【００１２】
以下に本考案の好ましい実施形態を示す。
図１及び図２において、１は長尺の柄、２は柄１の先端に取り付けられた雪かき部である。柄１はアルミパイプなどの軽量で強度のある金属製の筒体であり、その先端には後述の取付ブラケット８が挿し込まれるスリット３と、雪かき部２に接続するためのボルト１５を挿入する孔４が形成されている。雪かき部２は屋根と積雪との間に差し込まれる平板状のベースプレート５と、このベースプレート５の両側端から前方へ向けて立設され、積雪を垂直方向に切断する一対のサイドカッター６とからなる。なお、本考案に係る除雪具は地上に居ながら屋根上の雪を降ろすものであるため、操作性を損なうことのないよう、全体をアルミニウム、チタン等の軽量金属やプラスチック、炭素繊維複合材料などの軽量な材質とすることが好ましい。
【００１３】
ベースプレート５は横長長方形の金属板であり、サイドカッター６の他、ベースプレート５とサイドカッター６によって切り取られた雪を地上に滑り落とすためのシート７、柄１を保持するための取付ブラケット８、ベースプレート５の滑りをよくするためのスライダー９がボルトで固定されている。シート７はベースプレートの底面に、取付ブラケット８はベースプレート５の上面中央に取り付けられ、スライダー９はベースプレート５の裏面に左右１つずつ取り付けられている。
【００１４】
サイドカッター６は、縦長の金属板を加工したものであり、下端部をＬ字状に折り曲げられている。この折り曲げ部１０を内向きにしてベースプレート５の両側にボルト等で固定する。これにより、サイドカッター６がベースプレート５の長手方向と直交するので、積雪を前後方向に切断することができる。
【００１５】
シート７は幅をベースプレートの幅とほぼ同じくした縦長長方形の薄布であり、前端をベースプレート５の底面に固定されている。これにより、ベースプレート５とサイドカッター６によって切り取られた雪がシート７上を滑りながら地上に落下するので、雪を引き下ろす必要がない。なおシート７の材質の代表例としては、ポリエチレンシートや塩化ビニル樹脂製のビニールシートを挙げることができるが、雪が滑り落ち易い素材であればこれに限定されない。
【００１６】
また取付ブラケット８は、金属製の平板をＬ字状に形成したものであり、この取付ブラケット８にスリット３を嵌合することによりベースプレート６に柄１が固定される。なお本実施形態では、柄１先の内部に図２に示す硬質樹脂製のブッシュ１１が嵌められている。このブッシュ１１にも同様のスリットが形成されており、ブッシュ１１を柄１の先端部の内側に嵌めたうえで取付ブラケット８に差し込み、図４のようにボルト１５で固定する。これにより柄１の取り付け強度が高まるため、使用によって孔４が変形することもなく、柄１がガタつくことを防止できる。
【００１７】
スライダー９は、縦長長方形の金属板の前端を所定角度上方に折り曲げたものであり、このスライダー９をベースプレート５の裏面に取り付けることにより、ベースプレート５を屋根と積雪との間に差し込みやすくなり、その取り回しが容易となる。
【００１８】
また柄１の途中には、シート７上を滑り落ちてくる雪を粉砕するための粉砕用カッター１２を立設してある。粉砕用カッター１２は雪を粉砕する粉砕部１３と粉砕部１３を支持する筒状の支持金具１４とからなり、支持金具１４を柄１にボルト等で固定する。これにより、雪の塊が粉砕されて作業者にぶつかることがないので、安全かつ効率的に除雪作業を行うことができる。なお、本実施形態では粉砕部１３を板状に形成したが、雪を粉砕できるものであればよく、例えば円柱や角柱とすることもできる。
【００１９】
この除雪具は各部品をボルト等の着脱可能な締結具で締結してあるため、各部品（柄１、ベースプレート５、サイドカッター６、シート７、取付ブラケット８、スライダー９、粉砕用カッター１２）に分解でき、持ち運びに便利である。また、図３のように柄１をジョイント式として連結可能に形成しているので、屋根の高さに応じて柄１の長さを調節することができ、頂部の雪まで下ろすことができる。
【００２０】
以下に、本考案に係る除雪具の使用方法を説明する。
まず図５に示すように、除雪具の柄１を持ち上げてベースプレート５を軒先に挿し込む。その状態で、屋根の斜面に沿って柄１を押し上げる。するとベースプレート５とサイドカッター６により雪が切断される。すなわち、ベースプレート５により屋根の斜面に沿って水平方向に切断され、且つ一対のサイドカッター６により垂直方向に切断される。さらに、切り取られた雪は、シート７上を滑り落ちる途中で粉砕用カッター１２にぶつかって粉砕され、左右に分かれて地上へ落下する。なお図３に示す通り、柄１は簡易なジョイント式になっているので、屋根の高さに応じて柄１を適宜本数だけジョイントして使用できる。また、使用後は各部品に分解できるので、運搬や保管に便利である。
【００２１】
以上に説明したように、本考案に係る除雪具は、柄１の先端に雪かき部２を備え、この雪かき部２は雪を切断可能なベースプレート５とサイドカッター６からなるため、地上に居ながら屋根に降り積もった雪を切断することができる。そのため、作業者が屋根に登る必要がなく安全である。また、ベースプレート５の底面には切り取られた雪を滑り落とすためのシート７を取り付けてあるので、屋根の勾配が緩くても雪を簡単に地上へ滑り落とすことができる。さらに、柄１の途中に粉砕用カッター１２を立設したので、シート７上を滑り落ちてきた雪の塊が作業者にぶつかる前に粉砕できる。そのため、安全かつ効率的に除雪作業を行うことができる。本考案は雪下ろし作業者の落下死亡事故を防止するうえで有効であり、その実用的価値は極めて大きいものである。
【符号の説明】
【００２２】
１  柄
２  雪かき部
３  スリット
４  孔
５  ベースプレート
６  サイドカッター
７  シート
８  取付ブラケット
９  スライダー
１０  折り曲げ部
１１  ブッシュ
１２  粉砕用カッター
１３  粉砕部
１４  支持金具
１５  ボルト
【図１】
0003177264.tif 000003
【図２】
0003177264.tif 000004
【図３】
0003177264.tif 000005
【図４】
0003177264.tif 000006
【図５】
0003177264.tif 000007